(57)【要約】【課題】例えば既存の財布などに種々のカードが収納される場合においても、磁気カードや非接触型ＩＣカードに記録された情報がスキミングされるのを防護する。【解決手段】電磁的手段により読み書き自在に情報が格納されたカードの一方の面側から該情報がスキミングされるのを防ぐスキミングガードであって、電磁シールド体により形成された、該カードの一方の面と密着する位置又は近接する位置に抜差し自在に配備される、少なくとも紙幣と同寸の板状部材、あるいは少なくとも２つ折の紙幣と同寸の板状部材からなる。【選択図】図１
0003110505.tif 000002
【実用新案登録請求の範囲】
【請求項１】
電磁的手段により読み書き自在に情報が格納されたカードの一方の面側から該情報がスキミングされるのを防ぐスキミングガードであって、
電磁シールド体により形成された、該カードの一方の面と密着する位置又は近接する位置に抜差し自在に配備される、少なくとも紙幣と同寸の板状部材からなることを特徴とするスキミングガード。
【請求項２】
電磁的手段により読み書き自在に情報が格納されたカードの一方の面側から該情報がスキミングされるのを防ぐスキミングガードであって、
電磁シールド体により形成された、該カードの一方の面と密着する位置又は近接する位置に抜差し自在に配備される、少なくとも２つ折の紙幣と同寸の板状部材からなることを特徴とするスキミングガード。
【請求項３】
前記板状部材は、少なくとも周縁が熱可塑性プラスチックによりコーテイングされたものであることを特徴とする請求項１又は２記載のスキミングガード。
【請求項４】
前記板状部材は、導電性磁性体からなる電磁シールド体により形成されたものであることを特徴とする請求項３記載のスキミングガード。
【請求項５】
前記導電性磁性体は、鉄又は鉄との合金からなることを特徴とする請求項４記載のスキミングガード。
【請求項６】
前記導電性磁性体は、磁性体層と導電体層とが積層されたものであることを特徴とする請求項４記載のスキミングガード。
【請求項７】
非接触型ＩＣカードの一方の面側から該ＩＣカードに格納された情報がスキミングされるのを防ぐスキミングガードであって、
電磁波シールド体により形成された、該ＩＣカードの一方の面と密着する位置又は近接する位置に抜差し自在に配備される、少なくとも紙幣と同寸の板状部材からなることを特徴とするスキミングガード。
【請求項８】
非接触型ＩＣカードの一方の面側から該ＩＣカードに格納された情報がスキミングされるのを防ぐスキミングガードであって、
電磁波シールド体により形成された、該ＩＣカードの一方の面と密着する位置又は近接する位置に抜差し自在に配備される、少なくとも２つ折の紙幣と同寸の板状部材からなることを特徴とするスキミングガード。
【請求項９】
前記板状部材は、導電性金属からなる電磁波シールド体により形成され、少なくとも周縁が汎用性プラスチックによりコーテイングされたものであることを特徴とする請求項７又は８記載のスキミングガード。
【請求項１０】
前記板状部材は、導電性プラスチックからなる電磁波シールド体により形成されたものであることを特徴とする請求項７又は８記載のスキミングガード。
【請求項１１】
前記板状部材は、皮革および繊維を含む弾性部材により全体が被覆されたものであることを特徴とする請求項７から１０のうち何れか１項記載のスキミングガード。
【考案の詳細な説明】
【技術分野】
【０００１】
本発明は、磁気カード、非接触型ＩＣカードなど、電磁的手段により読み書き自在に情報が格納されたカードからその情報がスキミングされるのを防ぐスキミングガードに関する。
【背景技術】
【０００２】
従来から、銀行預金の預入、払出しや振込等を行う際の本人確認用、物品販売代金を信販会社を介して決済する際の認証用として、あるいは公衆電話や鉄道利用における現金や切符の代替手段として、磁気カードが広く使用されている。
しかしながら、磁気カードはデータ記憶容量が少ない上、磁気テープが表面に露出するなど、構造が簡単であることから本人に気付かれない状態で記録情報が不正にスキミングされ、その情報を基に偽造カードを作成される恐れがあることや、別手段によりスキミングされた暗証番号と偽造カードとを用いて本来のカード所有者になりすまし、多額の現金が引き出されたり、高額の買い物の支払いに使用されるなどの恐れがあり、現にそのような犯罪が多発している。
一方、半導体技術の進展により、ＣＰＵとメモリとからなるＩＣチップが比較的安価になったことから、データ記憶容量が多く、不正アクセスに対するセキュリテイ対策がとりやすい、ＩＣチップ内蔵のＩＣカードが徐々に普及しつつある。
ＩＣカードは、所要電力を外部に依存するタイプのものが一般的であり、ＩＣカードに設けられた接触端子を介して外部電源から電力供給を受ける接触型ＩＣカードと、ＩＣカードに内臓されたアンテナで受信される電磁波から所要電力を得る非接触型ＩＣカードとがある。何れのＩＣカードも、メモリに格納されたプログラムによりアクセス権の制御を行うことや送受するデータを暗号処理することなどにより、磁気カードに比べて格納された情報のセキュリテイを格段に向上させることが可能である。
しかしながら、磁気カードが完全に姿を消すまでには時間がかかる上、ＩＣカード、特に非接触型ＩＣカードは、たとえアクセス権制御やデータの暗号化処理などがなされていても、外部（例えばリーダ・ライタ）との間で電磁波による情報送受が不可欠であり、何らかの方法でＩＣカードに格納された情報が不正にスキミングされる恐れがある。また、ＩＣカードに格納されたデータに別のデータが上書きされる恐れや、改竄・破壊される恐れもある。
そこで、磁気カードの収納ケースなどに磁気遮蔽部を設けたり（例えば特許文献１参照）、カードケースの素材に導電性繊維などを用いる（例えば特許文献２参照）ことにより、外部電磁界などにより磁気カードに記録された情報が破壊されるのを防止するものがある。
また、磁気記録層への特殊インクによるマーキング、ホログラム箔の貼着によっても、磁気カードの真偽判定を行うことの困難性から、磁気カードの記録層にパターンの異なる磁気遮蔽層を印刷などすることにより真偽判定を容易化するものが提案されている（特許文献３参照）。
さらに、非接触型ＩＣカードは、包装された状態での使用も可能であることから、アルミニウム、銅、鉄などのラミネートフィルムで包装シールドして非接触型ＩＣカードの輸送時における不正アクセスを防止するもの（例えば特許文献４参照）、導電性金属シート、又はアルミなどの蒸着シートからなる電磁波遮蔽部材が内部に積層され、さらにヒートシール層が封緘部に形成された包装袋に非接触型ＩＣカードを収容することにより非接触型ＩＣカードの輸送時における不正アクセス防止と開封の有無判別を容易化したものがある（例えば特許文献５参照）。
また、磁気カードおよび非接触型ＩＣカードをユーザーが携行・保管する際におけるデータのスキミングを防ぐため、携帯用物入れの収納部、あるいは収納部の壁面などに磁気遮蔽、電磁波遮蔽するスキミング防護層を形成したものがある(例えば特許文献６参照)。
【特許文献１】実公昭６１−１６４１８４号公報
【特許文献２】実公昭６２−１９７８９６号公報
【特許文献３】特開平８−３１５０９６号公報
【特許文献４】特開平１０−２９３８２７号公報
【特許文献５】特開平１１−１１５３６号公報
【特許文献６】実用新案登録第３１０６０９４号
【考案の開示】
【考案が解決しようとする課題】
【０００３】
しかしながら、磁気カードは、記録情報が破壊されることによる実害に比べて、記録情報がスキミングされることによる実害が圧倒的に大きい上、特許文献３で提案されているようなタイプの磁気カードは、小数であると考えられるので、ユーザーが携行・保管する際におけるスキミングからの防護は依然としてその必要性が高いと考えられる。
また、特許文献４および５等で提案されている包装袋などは、ＩＣカードの発行元からユーザーの手元に届くまでは有効であっても、ユーザーが携行・保管する際におけるスキミングを保障するものではない。さらに、特許文献６のように、予め、カードが収納される携帯用物入れに、スキミング防護層を形成する方法では、種々のカードを既存の財布などに収納して携行する人にとっては有効な方法とはならない。
本発明は、上記事情に鑑み、例えば既存の財布（折りたたんで使用される財布を含む。）などに種々のカードが収納される場合においても、磁気カード及び非接触型ＩＣカード双方、あるいは磁気カード及び非接触型ＩＣカードの何れか一方から、それらのカードに記録された情報がスキミングされるのを防護することを可能にするスキミングガードを提供することを目的とする。
【課題を解決するための手段】
【０００４】
上記の目的を達成する本発明のスキミングガードは、電磁的手段により読み書き自在に情報が格納されたカードの一方の面側から該情報がスキミングされるのを防ぐスキミングガードであって、電磁シールド体により形成された、該カードの一方の面と密着する位置又は近接する位置に抜差し自在に配備される、少なくとも紙幣と同じ寸法の板状部材からなることを特徴とする。
このように、本発明のスキミングガードは、電磁シールド体により形成された、少なくとも紙幣と同程度の寸法の板状部材であることから、例えば長手方向と並行に２つ折りする財布の、それぞれに設けられた札入れ部にそれぞれスキミングガードを差し込むことができる。そして、その財布のカード収納部に磁気カード、又は磁気カードと非接触型ＩＣカードとを収容すると、それらのカードの両面にそれぞれのスキミングガードが密着する位置又は近接する位置に配備された状態となるので、いずれのカードからも記録情報がスキミングされるのを防ぐことができる。
また、上記の目的を達成する本発明のスキミングガードは、電磁的手段により読み書き自在に情報が格納されたカードの一方の面側から該情報がスキミングされるのを防ぐスキミングガードであって、電磁シールド体により形成された、該カードの一方の面と密着する位置又は近接する位置に抜差し自在に配備される、少なくとも２つ折の紙幣と同じ寸法の板状部材からなることを特徴とする。
このように、本発明のスキミングガードは、電磁シールド体により形成された、少なくとも２つ折の紙幣と同程度の寸法の板状部材であることから、例えば長手方向に２つ折りする財布の、折り畳まれた札入れ部にそれぞれスキミングガードを差し込むことができる。そして、その財布のカード収納部に磁気カード、又は磁気カードと非接触型ＩＣカードとを収容すると、それらのカードの両面にそれぞれのスキミングガードが密着する位置又は近接する位置に配備された状態となるので、いずれのカードからも記録情報がスキミングされるのを防ぐことができる。
また、上記何れの発明においても、スキミングガードの板状部材には、熱可塑性プラスチックが周縁部又は全体にコーテイングされたものであることが好ましい。これにより、スキミングガードを、例えば財布の札入れ部に差し込んだときの、札入れ部損傷の恐れが軽減される。
さらに、スキミングガードの板状部材は、導電性磁性体からなる電磁シールド体により形成されたものであること、特に導電性磁性体が、鉄又は鉄との合金であれば、導電性も高く、透磁率も高いという特性により、磁気カードと非接触型ＩＣカードとが混在しても、両者から記録情報がスキミングされるのを効果的に、かつ安価に防ぐことができる。なお、導電性磁性体は、磁性体層と導電性とが積層された複合部材であってもよい。
本発明のスキミングガードは、非接触型ＩＣカードの一方の面側から該情報がスキミングされるのを防ぐスキミングガードであって、電磁波シールド体により形成された、該ＩＣカードの一方の面と密着する位置又は近接する位置に抜差し自在に配備される、少なくとも紙幣と同寸の板状部材からなることを特徴とする。
このように、本発明のスキミングガードは、電磁波シールド体により形成された、少なくとも紙幣と同程度の寸法の板状部材であることから、例えば長手方向と並行に２つ折りする財布の、それぞれに設けられた札入れ部にそれぞれスキミングガードを差し込むことができる。そして、その財布のカード収納部に非接触型ＩＣカードを収容すると、ＩＣカードの両面にそれぞれのスキミングガードが密着する位置又は近接する位置に配備された状態となるので、いずれのＩＣカードからも記録情報がスキミングされるのを防ぐことができる。
また、本発明のスキミングガードは、非接触型ＩＣカードの一方の面側から該情報がスキミングされるのを防ぐスキミングガードであって、電磁波シールド体により形成された、該ＩＣカードの一方の面と密着する位置又は近接する位置に抜差し自在に配備される、少なくとも２つ折の紙幣と同寸の板状部材からなることを特徴とする。
このように、本発明のスキミングガードは、電磁シールド体により形成された、少なくとも２つ折の紙幣と同程度の寸法の板状部材であることから、例えば長手方向に２つ折りする財布の、折り畳まれた札入れ部にそれぞれスキミングガードを差し込むことができる。そして、その財布のカード収納部に非接触型ＩＣカードを収容すると、それらのカードの両面にそれぞれのスキミングガードが密着する位置又は近接する位置に配備された状態となるので、いずれのＩＣカードからも記録情報がスキミングされるのを防ぐことができる。また、上記非接触型ＩＣカード用のいずれの発明においても、スキミングガードの板状部材には、導電性金属からなる電磁波シールド体により形成され、周縁又は全体が汎用性プラスチックによりコーテイングされたものであること、あるいは導電性プラスチックからなる電磁波シールド体により形成されたものであることが好ましい。これにより、スキミングガードを、例えば財布の札入れ部に差し込んだときの、札入れ部損傷の恐れが軽減される。
さらに、それらスキミングガードの板状部材は、皮革および繊維を含む弾性部材により全体が被覆されたものであってもよい。
【考案の効果】
【０００５】
本発明のスキミングガードは、例えば既存の財布（折りたたんで使用される財布を含む。）などに種々のカードが収納される場合においても、磁気カード及び非接触型ＩＣカード双方、あるいは磁気カード及び非接触型ＩＣカードの何れか一方から、それらのカードに記録された情報がスキミングされるのを防護することができる。さらに、それらのカードが収納された、例えば財布などのありかを電磁的手段を用いて知らない間に第３者に知れてしまうという恐れをなくすこともできる。
【考案を実施するための最良の形態】
【０００６】
以下に、本考案の実施形態について説明する。
（第１の実施形態）
図１及び図２は、本考案の第１の実施形態のスキミングガードを、長手方向と並行に２つ折りする財布に適用した状態を示す図であり、図１は財布を開いた状態を示し、図２は、財布を２つ折りにした状態を示す。
図１に示すように、本実施形態が適用される財布１は、紙幣を収容する、一方の側に設けられた第１の札入れ部２と、他方の側に設けられた第２の札入れ部３と、情報が記録されたカードが収納されるカード収納部４と、を有する。
第１及び第２の札入れ部２，３それぞれには、本実施形態の、１万円札と同じサイズで、塩化ビニールがコーテイングされた薄い板状部材（パーマロイなどの電磁シールド体）からなるスキミングガード１０が、紙幣と一緒に収容されている。また、カード収納部４には、キャッシュカード、クレジットカード、プリペイドカード、輸送機関用カードなど、磁気カード２１、バーコードが記録された光学読取カード２２、非接触型ＩＣカード２３、接触型ＩＣカード２４が混在収納されている。
このように、スキミングガード１０は、１万円札と同じサイズの金属の薄い板状部材であることから、札入れ部に容易に抜き差しすることができる上、板状部材には塩化ビニールがコーテイングされているので、札入れ部２，３に抜き差ししたときに、札入れ部２，３を損傷する恐れが少ない。また、薄いため、札入れ部２，３に紙幣と一緒に容易に収容することができる。
ここで、日常的に利用され得るカードには、磁気カード、ＩＣカード、光学読取カード（バーコード、２次元コードなどが印刷され、光学的手段により情報が読み取られるものをいう。以下「光カード」という。）などがある。
磁気カード２１は、プラスチックカードに磁気ストライプを貼付したものや、紙カードに磁性体を貼付したもので、記憶容量は少ないが、低コストである。また、表面にデータ記憶部が露出するなどのため、磁気リーダを用いてデータを容易に読み取ることができる上、構造がシンプルなため、偽造が容易になされ得る。
ＩＣカードは、ＩＣチップにＣＰＵが内臓されていないメモリカードとＣＰＵ及びメモリが内蔵されたＣＰＵカードとに分類することができる。ＣＰＵカードは、さらに、カード表面に金属端子があり、リーダ／ライタをその金属端子に接触させることにより動作に必要な電力供給を受けると共に、情報を送受する接触型ＩＣカード２４と、アンテナを内蔵し、リーダ／ライタとそのアンテナを介して電波により電力供給を受けるとともに、情報を送受する非接触型ＩＣカード２３とがある。
接触型ＩＣカード２４や非接触型ＩＣカード２３は、カード自体で演算処理ができるため、第３者による不正アクセスやデータの改ざんが困難であることから、高いセキュリテイが確保され得る。また、非接触型ＩＣカード２３は、電波を用いるため、カードの向きを意識する必要がない上、移動しながらの情報送受も可能である反面、一旦セキュリテイが破壊されると、スキミングが極めて簡単に行われ得るとともに、何らかの方法で偽造される恐れがある。
ちなみに、非接触型ＩＣカード２３は電磁波を用いることから、無線システムとして分類され、電波妨害などの観点から利用可能な周波数帯域が制限され、国際的互換性に観点から当面、密着型は４．９１ＭＨｚ、近接型は１３．５６ＭＨｚが規格化されている。
光カード２２は、大きな記憶容量を有するが、レーザ光と光センサとにより情報の読み出しや偽造が容易であることから、診察券などセキュリテイがほとんど不要な業務に使用されている。
したがって、本実施形態のスキミングガード１０は、電磁的手段により目に見えない形態で記録情報が読み取られる恐れのある磁気カード２１及び非接触型ＩＣカード２３双方から記録情報が何らかの電磁的手段を用いてスキミングされるのを防止することを目的とする。しかしながら、接触型ＩＣカード２４や光カード２２も、磁気カード２１や非接触型ＩＣカード２３と一緒に、例えば財布やバッグなどに収納されるのが通例であることから、電磁的手段を用いて磁気カード２１及び非接触型ＩＣカード２３のありか、すなわちポケットや者入れなどに入っている財布やバッグなどの位置を第３者に知られないことによって、間接的に接触型ＩＣカード２４や光カード２２をスキミングから防護することも可能である。
図２に示すように、本実施形態が適用される財布１を、ポケットやバッグに収容するため、長手方向に並行に折りたたむと、スキミングガード１０は、カード収納部４に収納された各カードのそれぞれの面と密着又は近接した状態となる。
このように、カード収納部４に収納された磁気カード２１及び非接触型ＩＣカード２３は、２枚のスキミングガード１０によって挟まれるので、パーマロイなどの電磁シールド体による磁気吸収や電磁波反射作用により、磁気カード２１及び非接触型ＩＣカード２３の両面から記録情報がスキミングされるのを防ぐことができる。
ここで、本実施形態では、２枚のスキミングガード１０により、磁気カード２１及び非接触型ＩＣカード２３の両面から記録情報がスキミングされるのを防いでいるが、スキミングガード１０は必ずしも２枚用いる必要はなく、例えば財布１をポケットなどに入れる場合には、そのポケットの外側から電磁的に情報がスキミングされるのを防ぐために、外側の札入れ部４にのみスキミングガード１０を差し込むことにしてもよい。
図３は、本考案の第１の実施形態のスキミングガードを示す図である。
図３に示すように、本実施形態のスキミングガード１０は、１万円札と同じサイズの薄い板状部材（パーマロイなどの電磁シールド体）１１と、周縁を含む全体にわたってその板状部材１１にコーテイングされた塩化ビニール部１２とにより形成されている。
ここで、本実施形態の板状部材１１を構成する電磁シールド体は、その両側にある媒質空間を電磁気的に絶縁する物体であり、一方の側の媒質空間から他方の側の媒質空間に電磁エネルギーが伝送されるのを抑止する効果を電磁シールド効果と称する。電磁シールドは、周波数によって、磁気シールドと電磁波シールドとに分類することができる。
磁気シールドは、直流ないし低周波領域のエネルギーを抑止するもので、主として遮蔽材の渦流抵抗と透磁率とによってその効果がきまる。一方、電磁波シールドは高周波領域ないしマイクロ波領域のエネルギーを抑止するもので、磁気シールドのような高い透磁率は不要であるが、入射波を反射させるための高い導電性によってその効果がきまる。
したがって、本実施形態のスキミングガード１０は、磁気カード及び高周波領域を利用する非接触型ＩＣカードに対する電磁シールド効果が期待できる鉄及びその合金、例えば電磁軟鉄、センダスト、アルパーム、パーメンジュール、鉄−アルミ合金、パーマロイ、Ｍｎ−Ｚｎフェライト、アモルファスなどが好適に用いられる。
また、本実施形態の板状部材１１には、塩化ビニールがコーテイングされているが、必ずしも塩化ビニールである必要はなく、ポリエチレン、ポリスチレン、ポリプロピレンなどの汎用プラスチック、ポリカーボネート、ポリイミド、フッ素樹脂、エラストマー、生分解プラスチックその他の熱可塑性プラスチックをコーテイングしてもよい。さらに、コーテイングされた板状部材に、合成皮革や模様の入った繊維などで被覆してもよい。
本実施形態のスキミングガードは、１万円札と同じサイズにしているが、必ずしも１万円札と同じサイズである必要はなく、千円札、あるいは外国の紙幣と同じサイズであってもよく、札入れ部２，３に収容可能であればそれより大きくてもよい。
（第２の実施形態）
図４及び図５は、本考案の第２の実施形態のスキミングガードを、長手方向に２つ折りする財布に適用した状態を示す図であり、図４は、財布を開いた状態を示し、図５は、財布を２つ折りにした状態を示す。
図４に示すように、本実施形態が適用される財布５は、紙幣を収容する、札入れ部６と、非接触型情報が記録されたカードが収納されるカード収納部７と、を有する。
札入れ部６には、アルミニウムからなる電磁波シールド体にポリエチレンがコーテイングされた、１万円札の半分のサイズの、薄い板状部材からなる本実施形態のスキミングガード１３が、紙幣と一緒に２枚並べて収容される。また、カード収納部７には、キャッシュカード、クレジットカード、輸送機関用カードなどの、非接触型ＩＣカード２３及び接触型ＩＣカード２４が収納されている。
このように、スキミングガード１３は、１万円札の半分のサイズの、ポリエチレンがコーテイングされたアルミニウムの薄い板状部材であることから、札入れ部６に容易に抜き差しすることができる上、板状部材にはポリエチレンがコーテイングされているので、札入れ部６に抜き差ししたときに、札入れ部６を損傷する恐れが少ない。また、薄いため、第１の実施形態と同様に、札入れ部６に紙幣と一緒に容易に収容することができる。
図５に示すように、本実施形態が適用される財布５を、ポケットやバッグに収容するため、長手方向に２つ折りにすると、それぞれのスキミングガード１３は、カード収納部６に収納された各カード２３、２４のそれぞれの面と密着又は近接した状態となる。
このように、カード収納部６に収納された非接触型ＩＣカード２３は、２枚のスキミングガード１３によって挟まれるので、アルミニウムなどの電磁波シールド体による電磁波反射作用により、非接触型ＩＣカード２３の何れの面への不正アクセスも遮断され、記録情報がスキミングされるのを防ぐことができる。
図６は、本考案の第２の実施形態のスキミングガードを示す図である。
図６に示すように、本実施形態のスキミングガード１３は、１万円札の半分と同じサイズの薄いアルミニウムからなる板状部材１４と、周縁を含む全体にわたってその板状部材１４にコーテイングされたポリエチレン部１５とにより形成されている。
ここで、本実施形態の板状部材１４を構成する電磁波シールド体には、アルミニウムが用いられるが、必ずしもアルミニウムに限定する必要はなく、高周波領域ないしマイクロ波領域のエネルギーを抑止する、高導電性を有する材料であれば、それらを単独又は複合させて用いることができる。例えば、アルミニウム、鉄、ニッケル、亜鉛、銅などを箔状、網状のシート、薄板に形成し、それらを単独又は多層化してもよい。
また、本実施形態の板状部材１４には、ポリエチレンがコーテイングされているが、必ずしもポリエチレンである必要はなく、塩化ビニール、ポリスチレン、ポリプロピレンなどの汎用プラスチック、ポリカーボネート、ポリイミド、フッ素樹脂、エラストマー、生分解プラスチックその他の熱可塑性プラスチックをコーテイングしてもよい。さらに、コーテイングされた板状部材に、合成皮革や模様の入った繊維などで被覆してもよい。
さらに、本実施形態の板状部材１４には、ウレタンやアクリルなどの樹脂にアルミニウム、鉄、ニッケル、亜鉛、銅などの金属粉やフィラーを混入したり、蒸着、塗布、コーテイングすることにより薄板状に成形したものであってもよい。
本実施形態のスキミングガードは、１万円札の半分と同じサイズにしているが、必ずしも１万円札の半分と同じサイズである必要はなく、千円札、あるいは外国の紙幣の半分と同じサイズであってもよく、折りたたんだ札入れ部６に収容可能であればそれより大きくてもよい。
以上、磁気カード、非接触型ＩＣカードが財布に収納されたときにスキミングを防ぐ場合について説明したが、本発明のスキミングガードは、磁気カード、非接触型ＩＣカードが財布に収納されたとき限らず、バッグに収容される場合や封筒に収容されて輸送される場合においても有効である。また、第１の実施形態においては、パーマロイなどの電磁シールド体からなる板状部材（熱可塑性プラスチックがコーテイングされたものと熱可塑性プラスチックがコーテイングされていないもの双方を含む。）で、少なくとも紙幣と同じサイズのスキミングガードを、長手方向に並行に折りたたむ財布に適用する場合について説明したが、これと同じ板状部材で、少なくとも２つ折の紙幣と同じサイズのスキミングガードを、長手方向に２つ折りする財布にも当然適用される。さらに、第２の実施形態においては、アルミニウムなどの電磁波シールド体からなる板状部材（（熱可塑性プラスチックがコーテイングされたものと熱可塑性プラスチックがコーテイングされていないもの、及びさらにそれらが皮革や繊維などの弾性部材で被覆されたものを含む。）で、少なくとも２つ折の紙幣と同じサイズのスキミングガードを、長手方向に２つ折りする財布に適用する場合について説明したが、これと同じ板状部材で、少なくとも紙幣と同じサイズのスキミングガードを、長手方向に並行に折りたたむ財布にも当然適用される。
【図面の簡単な説明】
【０００７】
【図１】本考案の第１の実施形態のスキミングガードを、長手方向と並行に２つ折りする財布に適用した状態（開いた状態）を示す図である。
【図２】本考案の第１の実施形態のスキミングガードを、長手方向と並行に２つ折りする財布に適用した状態（２つ折りにした状態）を示す図である。
【図３】本考案の第１の実施形態のスキミングガードを示す図である。
【図４】本考案の第２の実施形態のスキミングガードを、長手方向に２つ折りする財布に適用した状態（開いた状態）を示す図である。
【図５】本考案の第２の実施形態のスキミングガードを、長手方向に２つ折りする財布に適用した状態（２つ折りにした状態）を示す図である。
【図６】本考案の第２の実施形態のスキミングガードを示す図である。
【符号の説明】
【０００８】
１、５  財布
２    第１の札入れ部
３    第２の札入れ部
４、７    カード収納部
６    札入れ部
１０、１３    スキミングガード    
１１、１４    板状部材  
１２、１５    コーテイング部
２１    磁気カード
２２    光カード
２３    非接触型ＩＣカード
２４    接触型ＩＣカード
【図１】
0003110505.tif 000003
【図２】
0003110505.tif 000004
【図３】
0003110505.tif 000005
【図４】
0003110505.tif 000006
【図５】
0003110505.tif 000007
【図６】
0003110505.tif 000008